(57)【要約】【課題】観光写真やイベント写真販売時の観光事業者の負担を軽減し、購入希望者に利便性を提供する。【解決手段】写真データ預貯金サーバを用いた観光写真サービス提供システムであって、事業者により端末装置が操作されることによってアップロードされる撮影データを取り込み、写真データ預貯金サーバに登録する撮影データ取り込み部３４と、撮影データの登録に伴い通知される識別情報に基づき利用者が端末装置を操作することによって生成される撮影データの購入要求を受信し、写真データ預貯金サーバから所望の撮影データを読み出してダウンロード提供する撮影データ提供部３７とを備える。【選択図】      図２
2005182599.tif 000002
【特許請求の範囲】
【請求項１】
観光写真を撮影し販売する事業者、もしくはそれを購入する利用者によって操作されるそれぞれの端末装置と通信ネットワークを介して接続される写真データ預貯金サーバを用いた観光写真サービス提供システムであって、
前記端末装置からアップロードされる撮影データを取り込み、写真データ預貯金サーバに登録する撮影データ取り込み部と、
前記撮影データの登録に伴い通知される識別情報に基づき前記端末装置によって生成される撮影データの購入要求を受信し、前記写真データ預貯金サーバから購入要求に該当する撮影データを読み出してダウンロード提供する撮影データ提供部と、
を備えたことを特徴とする写真データ預貯金サーバを用いた観光写真サービス提供システム。
【請求項２】
前記撮影データの購入要求を受信したときに前記要求のあった端末を介して利用者に対する課金請求を行い、当該課金処理されことを契機に前記撮影データ提供部による撮影データのダウンロード提供を指示する課金処理部と、
を備えたことを特徴とする請求項１に記載の写真データ預貯金サーバを用いた観光写真サービス提供システム。
【請求項３】
前記課金処理部は、利用者が所有する端末または事業者が所有する端末に対して課金処理を行うことを特徴とする請求項２記載の写真データ預貯金サーバを用いた観光写真サービス提供システム。
【請求項４】
前記撮影データのアップロードまたはダウンロードの際に、利用者に対してサービスを提供するためのデータであるサービスデータを端末に送信する送信手段を有することを特徴とする請求項１から請求項３のうちいずれかに記載の写真データ預貯金サーバを用いた観光写真サービス提供システム。
【請求項５】
観光写真を撮影し販売する事業者、もしくはそれを購入する利用者によって操作されるそれぞれの端末装置と通信ネットワークを介して接続される写真データ預貯金サーバを用いた観光写真サービス提供システムにおける撮影データの預け入れ・取出し方法であって、
前記端末装置からアップロードされる撮影データを取り込み、前記写真データ預貯金サーバに登録するステップと、
前記撮影データの登録に伴い通知される識別情報に基づき前記端末装置によって生成される撮影データの購入要求を受信し、前記写真データ預貯金サーバから購入要求に対応する撮影データを読み出してダウンロード提供するステップと、
を有することを特徴とする撮影データの預け入れ・取出し方法。
【請求項６】
観光写真を撮影し販売する事業者、もしくはそれを購入する利用者によって操作されるそれぞれの端末装置と通信ネットワークを介して接続される写真データ預貯金サーバを用いた観光写真サービス提供システムに用いられるプログラムであって、
前記端末装置からアップロードされる撮影データを取り込み、前記写真データ預貯金サーバに登録する処理と、
前記撮影データの登録に伴い通知される識別情報に基づき前記端末装置によって生成される撮影データの購入要求を受信し、前記写真データ預貯金サーバから購入要求に対応する撮影データを読み出してダウンロード提供する処理と、
をコンピュータに実行させるプログラム。
【発明の詳細な説明】
【技術分野】
【０００１】
本発明は、写真データ預貯金サーバを用いた観光写真サービス提供システム、および同システムにおける撮影データ預け入れ・取出し方法、ならびにそのプログラムに関する。
【背景技術】
【０００２】
フィルムカメラに代わり、撮った写真をすぐに確認できるデジタルカメラが普及してきた。また、最近ではデジタルカメラが搭載された携帯電話の普及も著しく、写真撮影の機会が増えた。しかしながら、デジタルカメラはメモリがすぐに満杯となって撮影続行不可能となるケースが多々発生する。
フィルムカメラは、旅先等で撮り終わった後、フィルムをその場で購入し詰め換えを行うことによって撮影の続行が可能であるのに対し、デジタルカメラは、メモリが満杯になった場合、不要と思われるデータを消去しながら撮影を続行する必要がある。メモリカードは、その場で購入することは困難であり、予備のカードは高価であるため、持ち歩くことはほとんどない。
【０００３】
ところで、写真撮影や、写真の現像およびプリントの依頼、アルバム整理に手間をかけることなく、アルバム状に整理された旅行写真を受け取ることができる旅行写真システムが提案されている（例えば、特許文献１参照）。
具体的には、団体旅行の乗客を乗せて運行するバス等の乗り物に適用したものであり、添乗員、あるいはカメラマンが撮影した写真フィルムを現像し、デジタル画像に変換し、その画像を乗り物の前部、あるいは各座席に設置したモニターにプレビューし、乗客から注文があった写真をアルバムにして販売するものである。
【特許文献１】特開２００２−３１８７５８号公報
【発明の開示】
【発明が解決しようとする課題】
【０００４】
上記した特許文献１によれば、乗客は、添乗員等が撮影した写真を移動中にモニターで閲覧して気に入った写真を座席に座りながら注文することにより、旅行終了時点でアルバム状に整理された写真を受け取ることができる。
しかしながら、撮影主体は添乗員あるいはカメラマンであって、乗客ではない。また、アルバムの引き渡しも加工に時間がかかることから旅行終了時に制限され、乗客が必要な時点で即時に入手することはできない。更に、ネガ自体は業者側で保管するため、後日、拡大等の加工は不可能である。また、上記したデジタルカメラの欠点であるメモリ満杯持の継続使用に関する記載もない。
【０００５】
一方、観光地において観光事業者により撮影される集合写真（パック旅行も含む）、あるいは、観覧車やジェットコースター搭乗時に撮影されるイベント写真の殆どは、写真撮影後、出口、滞在先、ホテル等、利用者の目のつくところに現像して写真そのものが貼り出され、購入希望者に販売される。この場合、観光事業者は、確実に販売できるものではないことを承知のうえで撮影した写真全てを現像する必要があり、購入されなかったものについては無駄に捨てていた。また、短時間で現像するためにスタッフは多大な工数を要し、更に、購入者にネガやデータを渡さないため、追加焼増販売あるいは加工販売が困難であった。
【０００６】
本発明は上記諸々の事情に鑑みてなされたものであり、インターネット上に、撮影データを預け入れる写真データ預貯金サーバを構築し、観光事業者が当該写真データ預貯金サーバに撮影データを預け入れし、購入希望者に引出させる仕組みを構築することで、観光写真やイベント写真販売時の観光事業者の負担を軽減し、かつ、購入希望者は、必要なときに必要なだけ撮影データを任意に加工し、自宅はもとより街角等、適当な場所で印刷を可能とすることで利便性を提供する、写真データ預貯金サーバを用いた観光写真サービス提供システム、および同システムにおける撮影データ預け入れ・取出し方法、ならびにそのプログラムを提供することを目的とする。
【課題を解決するための手段】
【０００７】
上記した課題を解決するために本発明は、観光写真を撮影し販売する事業者、もしくはそれを購入する利用者によって操作されるそれぞれの端末装置と通信ネットワークを介して接続される写真データ預貯金サーバを用いた観光写真サービス提供システムであって、前記端末装置からアップロードされる撮影データを取り込み、写真データ預貯金サーバに登録する撮影データ取り込み部と、前記撮影データの登録に伴い通知される識別情報に基づき前記端末装置によって生成される撮影データの購入要求を受信し、前記写真データ預貯金サーバから購入要求に該当する撮影データを読み出してダウンロード提供する撮影データ提供部と、を備えたことを特徴とする。
【０００８】
本発明によれば、事業者により端末装置が操作されることによってアップロードされる撮影データを取り込んで写真データ預貯金サーバに登録し、撮影データの登録に伴い通知される識別情報に基づき利用者が端末装置を操作することによって生成される撮影データの購入要求を受信し、写真データ預貯金サーバから所望の撮影データを読み出してダウンロード提供することで、観光写真やイベント写真販売時の観光事業者の負担が軽減され、かつ、利用者は、必要なときに必要なだけ撮影データを任意に加工する環境を利用できる。
なお、ここで、「写真データ預貯金サーバ」とは、端末と通信ネットワークを介して接続される観光写真サービス提供システムが持つ記憶装置のうち、事業者に割付けられる所定の記憶領域を有するサーバ装置のことをいう。
【０００９】
また、本発明において、上述の写真データ預貯金サーバを用いた観光写真サービス提供システムにおいて、前記撮影データの購入要求を受信したときに前記要求のあった端末を介して利用者に対する課金請求を行い、当該課金処理されたことを契機に前記撮影データ提供部による撮影データのダウンロード提供を指示する課金処理部と、を備えたことを特徴とする。
本発明によれば、利用者から撮影データの購入要求を受信したときに要求のあった端末装置を介して利用者に課金請求を行うことで、写真データ預貯金サーバに登録された撮影データを有償販売することができ、事業者は負担が軽減されながら効率的な事業展開がはかれる。
【００１０】
また、本発明のうち、上述の写真データ預貯金サーバを用いた観光写真サービス提供システムにおいて、前記課金処理部は、利用者が所有する端末または事業者が所有する端末に対して課金処理を行うことを特徴とする。
この発明によれば、利用者は、撮影データのダウンロード時に新たに料金を支払う必要がなくなる。例えば、旅行先などにおいて、料金を準備していなくても撮影データを印刷できるので、印刷する意欲を向上させることができる。
【００１１】
また、本発明のうち、上述の写真データ預貯金サーバを用いた観光写真サービス提供システムにおいて、前記撮影データのアップロードまたはダウンロードの際に、利用者に対してサービスを提供するためのデータであるサービスデータを端末に送信する送信手段を有することを特徴とする。
この発明によれば、撮影データの提供サービスによって、利用者と事業者側との間を密着させたサービスが提供可能になる。
【００１２】
上記した課題を解決するために本発明は、観光写真を撮影し販売する事業者、もしくはそれを購入する利用者によって操作されるそれぞれの端末装置と通信ネットワークを介して接続される写真データ預貯金サーバを用いた観光写真サービス提供システムにおける撮影データの預け入れ・取出し方法であって、前記端末装置からアップロードされる撮影データを取り込み、前記写真データ預貯金サーバに登録するステップと、前記撮影データの登録に伴い通知される識別情報に基づき前記端末装置によって生成される撮影データの購入要求を受信し、前記写真データ預貯金サーバから購入要求に対応する撮影データを読み出してダウンロード提供するステップと、を有することを特徴とする。
【００１３】
上記した課題を解決するために本発明は、観光写真を撮影し販売する事業者、もしくはそれを購入する利用者によって操作されるそれぞれの端末装置と通信ネットワークを介して接続される写真データ預貯金サーバを用いた観光写真サービス提供システムに用いられるプログラムであって、前記端末装置からアップロードされる撮影データを取り込み、前記写真データ預貯金サーバに登録する処理と、前記撮影データの登録に伴い通知される識別情報に基づき前記端末装置によって生成される撮影データの購入要求を受信し、前記写真データ預貯金サーバから購入要求に対応する撮影データを読み出してダウンロード提供する処理と、をコンピュータに実行させるプログラムである。
【発明を実施するための最良の形態】
【００１４】
以下、図面を参照しながら本発明実施形態について詳細に説明する。図１は、本発明の写真データ預貯金サーバを用いた観光写真サービス提供システムのネットワーク接続環境を示す図である。
図１に示されるように、写真データ預貯金サーバ３（以下、単にＰＮＢサーバという）に、入力フロー１と出力フロー２がＩＰ（Internet Protocol）網４に接続されることで、本発明の写真データ預貯金サーバを用いた観光写真サービス提供システムが構築される。ＰＮＢサーバ３には、事業者によって撮影された写真が預け入れされる写真データ預貯金サーバが実装される。ここで、写真データ預貯金サーバとは、ＰＮＢサーバ３の記憶装置に割付けられる所定の記憶領域のことをいう。
また、ＰＮＢサーバ３は、入力フロー１（ここでは事業者端末１１）から撮影データのアップロード要求を受信し、事業者に対して割当てられる写真データ預貯金サーバ（記憶領域）に撮影データを登録し、事業者端末１１に対し、その写真データ預貯金サーバを識別する識別情報を発行する。更に、出力フロー２を構成する端末（自宅ＰＣ２１、街頭端末２２、拠点端末２３）から利用者による撮影データの購入要求を受信し、先に発行された識別情報に基づき写真データ預貯金サーバから所望の撮影データをダウンロード提供する。
【００１５】
本発明の写真データ預貯金サーバを用いた観光写真サービス提供システムは、上記したＰＮＢサーバ３を核に、当該ＰＮＢサーバ３に対し、事業者が管理する事業者端末１１、そして、自宅、街頭、契約拠点のそれぞれにおいて所持され管理されるＰＣ２１、街頭端末２２、拠点端末２３がＩＰ（Internet Protocol）網４を介して接続される構成になっている。ここで、入力フロー１を構成する事業者端末１１、そして出力フロー２を構成するＰＣ２１、街頭端末２２、事業者端末２３をそれぞれ囲い込みして示してあるのは、それぞれが、撮影データアップロード要求、撮影データダウンロード要求を発行し、そのための機能を実行するためである。
なお、街頭端末２２とは、空港、駅、ホテル等の公共機関、あるいはコンビニ等、利用者が集まる場所に設置され、利用者の誰にでも操作可能な端末を想定している。図３に、街頭端末１２の内部構成がブロック図で示されている。また、ここで、契約拠点とあるのは、事前契約された郵送業者等が保有するプリンタを用いて出力し、ＰＣやプリンタを持たない利用者に郵送を依頼することを考慮して設置されたものである。
【００１６】
街頭端末２２は、ＣＰＵ１２１を核に、プログラムメモリ１２２、ＮＩＣ１２３（Network Interface）、液晶タッチパネル１２４、メモリカードリーダ１２５、プリンタ（ＰＲＴ）１２６が、アドレス、データ、コントロールのためのラインが複数本で構成されるシステムバス１２７に共通接続され構成される。
ＣＰＵ１２１は、プログラムメモリ１２２に格納されたプログラムを順次読み出し、利用者による撮影データのアップロード要求、あるいは撮影データのダウンロード要求を、ＩＰ網４を介して接続されるＰＮＢサーバ３と協動して処理する。また、必要に応じて、ＰＮＢサーバ３からダウンロードされる撮影データに基づき利用者の要求に従う印刷も行う。ＮＩＣ１２３は、ＩＰ網３とのインタフェースを司り、ここでは、ＴＣＰ／ＩＰ（Transmission Control Protocol／Internet Protocol）が実装される。
【００１７】
液晶タッチパネル１２４は、利用者とのマンマシンインタフェースを司るものであり、上記した撮影データのアップロード、ダウンロード要求を入力する他に、ＰＮＢサーバ３から提供される撮影データのプレビュー表示等を行う、また、課金データの表示も行う。メモリカードリーダ１２５は、デジタルカメラ内蔵の、例えば、フラッシュメモリが差し込まれ、当該フラッシュメモリから撮影データを読み出し、ＮＩＣ１２３経由でＰＮＢサーバ３の保管庫へアップロードする。ここで、記憶領域が空になったフラッシュメモリは、利用者が持ち帰ることで継続して撮影が可能になる。
なお、プリンタ１２６は、ダウンロード入手した撮影データを印刷するもので、事前に液晶タッチパネル１２４を介して利用者との間でサイズや枚数等のデータ交換が行われ、その内容に従う印刷を行う。
【００１８】
図２は、図１に示すＰＮＢサーバ３の内部構成を機能展開して示したブロック図である。ＰＮＢサーバ３は、機能的に、ＰＮＢ入力要求受信部３１と、課金処理部３２と、識別情報発行部３３と、撮影データ取込み部３４と、ＰＮＢデータファイル３５と、ＩＤ／ＰＷファイル３６と、撮影データ提供部３７と、認証部３８と、ＰＮＢ出力要求受信部３９と、課金処理部４０に大別され、構成される。
【００１９】
ＰＮＢ入力要求受信部３１は、事業者によって操作される事業者端末１１から撮影データのアップロード要求を受信する機能を持ち、撮影データ取込み部３４は、事業者に対して割当てられる写真データ預貯金サーバ（ここではＰＮＢファイル３５）に取込んだ撮影データを登録する機能を持つ。
また、識別情報発行部３３は、撮影データのアップロード要求を発行した事業者端末１１に対し、利用者を識別するＩＤ、パスワード等の識別情報を発行する機能を持ち、課金処理部３２は、撮影データのアップロード要求を受信したときに要求のあった事業者端末１１を介して事業者に課金請求を行い、当該課金が実施されことを契機に撮影データ取込み部３４による撮影データの取込みを許可する機能を持つ。なお、ここでは、事業者は、課金処理部３２によって課金された料金については、旅行代金などと一緒に利用者から予め徴収することも可能である。
【００２０】
一方、ＰＮＢ出力要求受信部３９は、利用者が出力フロー２を構成する端末（自宅ＰＣ２１、街頭端末２２、拠点端末２３）を操作することにより生成される撮影データの購入要求を受信し、認証部３８へＩＤ、パスワード等の識別情報を通知する。なお、事業者は、事前に利用者に対して先に識別情報発行部３３で発行された識別情報を通知してあるものとする。
認証部３８は、ＩＤ／ＰＷファイル３６に登録されたＩＤ／パスワードと照合し一致がとれた場合にのみ、撮影データ提供部３７に対してＰＮＢファイル３５の検索を指示する機能を持つ。また、課金処理部４０は、撮影データの購入要求を受信したときに要求のあった出力フロー２（端末２１、２２、２３）を介して利用者に課金請求を行い、当該課金が実施されことを契機に撮影データ提供部３７による撮影データのダウンロード提供を許可する機能を持つ。
撮影データ提供部３７は、識別情報に基づきＰＮＢファイル３５から所望の撮影データを検索して得、要求のあった出力フロー（端末２１、２２、２３）へダウンロード提供する機能を持つ。
【００２１】
図４、図５は、本発明実施形態の動作を説明するために引用したフローチャートであり、一部、本発明のプログラムの処理手順も示している。
以下、図４、図５に示すフローチャートを参照しながら図１〜図３に示す本発明実施形態の動作について詳細に説明する。
まず、ＰＮＢサーバ３は、事業者端末１１を介して発行される撮影データアップロード要求をＰＮＢ入力要求受信部３１で受信する（Ｓ４１）。これを受けた課金処理部３２は、撮影データ預け入れに対する課金請求表示を行い（Ｓ４２）、当該請求に対する課金実行（入力される個人情報あるいは徴収）を確認して（Ｓ４３）識別情報発行部３３および撮影データ取り込み部３４を起動する。
ここで、撮影データ取込み部３４は、記憶装置となるＰＮＢファイル３５に撮影データ預け入れ用の専用のメモリ領域を割当て（Ｓ４４）、その領域に事業者端末１１からアップロードされた撮影画像を記録する（Ｓ４５）。また、識別情報発行部３３は、事業者に対し割当てられるＩＤとパスワードを発行し、要求のあった事業者端末１１へ送信する（Ｓ４６）。
【００２２】
次に、ＰＮＢサーバ３は、出力フロー２（端末２１、２２、２３）を介して発行される撮影データダウンロード要求（撮影データの購入要求）をＰＮＢ出力要求受信部３９で受信する（Ｓ４７）。ＰＮＢ出力要求は、出力フロー２を構成するいずれの端末２１、２２、２３からも発行が可能である。なお、利用者は、事業者から事前に識別情報の通知を受けているものとし、ここでは、識別情報も併せて入力することとする。
このことにより、認証部３８は、ＩＤ／ＰＷファイル３６に格納されている識別情報を参照してＩＤとパスワードを認証し（Ｓ４８）、事業者のために割当てられたＰＮＢファイル３５の該当領域（アドレス）を撮影データ提供部３７に通知する。撮影データ提供部３７は、通知されたアドレスに基づきＰＮＢファイル３５から所望の撮影データを読出し、例えば、要求のあった端末２１（２２、２３）に登録された撮影データをサムネール表示し、ダウンロード提供を希望する撮影データの選択入力を促す（Ｓ４９）。撮影データ提供部３７は、更に、利用者からの撮影データの選択入力を取り込み、該当する撮影データを要求のあった撮影データを同じく要求のあった端末２１（２２、２３）へダウンロード提供する。
【００２３】
なお、撮影データをダウンロード提供するにあたり、課金処理部４０により課金請求がなされ（Ｓ５０）、課金実行を契機にダウンロードが許可される。すなわち、撮影データ提供部３７は、要求先が家庭にあるＰＣ２１であった場合は、課金処理後、ＰＣ２１に選択された撮影データをダウンロード提供し（Ｓ５１、Ｓ５２、Ｓ５５）、要求先が街頭端末２２であった場合は、課金処理後、街頭端末２２に選択された撮影データをダウンロード提供し（Ｓ５１、Ｓ５３、Ｓ５６）、要求先が契約拠点にある拠点端末２３であった場合は、課金処理後、拠点端末２３に選択された撮影データをダウンロード提供し（Ｓ５１、Ｓ５２、Ｓ５５）、併せて指定される送付先に送付するよう、契約先に、郵送、宅配の手続を依頼する（Ｓ５８）。
【００２４】
上記のようにダウンロード提供を受けたそれぞれの端末２１（２２、２３）では、例えば、街角端末２２であれば、利用者が、枚数、サイズ等必要データを、液晶タッチパネル１２４を介して入力することにより、街角端末１２のプリンタ１２６から写真を入手することも可能である。
また、ダウンロード提供された撮影データの印刷を契約拠点に依頼し、コンビニ等、最寄りの端末設置場所を指定し、その場所に直接出向くか、あるいは郵送を依頼することでも写真を入手できる。更に、家庭にあるＰＣ２１の場合は、何時でも必要なときに必要枚数だけ写真を入手できる。
【００２５】
以上説明のように本発明の写真データ預貯金サーバを用いた観光写真サービス提供システムは、事業者によってアップロードされる撮影データを取り込んで写真データ預貯金サーバに登録し、一方、撮影データの登録に伴い通知される識別情報に基づき利用者によって発行される撮影データの購入要求を受信し、写真データ預貯金サーバから所望の撮影データを読み出し所望の撮影データを要求のあった利用者にダウンロード提供するものであり、このことにより、観光写真やイベント写真販売時の事業者の負担を軽減し、かつ、利用者は、必要なときに必要なだけ撮影データを任意に加工する環境を利用でき、利便性を享受できる。
また、利用者から撮影データの購入要求を受信したときに要求のあった端末を介して利用者に課金請求を行うことで、写真データ預貯金サーバに登録された撮影データを有償販売することができ、事業者は、無駄なく撮影データの販売が可能になる。
【００２６】
また、この実施形態においては、利用者からのアップロード要求に基づいて撮影データを受信して保持しておき、利用者からのダウンロード要求に応じて、保持していた撮影データを提供するようにしたが、撮影データのサービスを提供する際に、写真データのアップロードの利用に応じたサービスデータの送信をしたり、あるいは、ダウンロードの利用に応じてサービスデータを付加して送信するようにしてもよい。ここでいうサービスデータとは、事業者側から利用者に対してサービスを提供するためのデータであり、例えば、広告、クーポン、割引券に相当するデータである。
【００２７】
具体的には、撮影データのアップロード時に、利用者がアップロードを行った際に発行されるＩＤとパスワード（例えば、図４ステップＳ４６）に対し、端末が設置されている場所に対応したサービスデータを付加して送信する。これにより、利用者は、端末によってサービスデータを印刷し、利用することが可能である。このサービスデータが広告である場合は、利用者に広告を閲覧してもらうことにより、例えば、利用者が旅行先において端末を利用していた場合、その旅行先の地域の観光案内や商店街の店舗の広告、宿泊先のホテル内の店舗の広告をすることによって、利用者に対するアップロードの課金を安くすることが可能である。なお、この場合、写真データ預貯金サーバ３は、広告を行った店舗や自治体などの端末に対して広告料の課金処理をする。
【００２８】
なお、この場合、広告以外に、クーポンまたは割引券のデータをサービスデータとして送信するようにしてもよい。これにより利用者は、端末で受信したクーポン、割引券を端末を利用して印刷し、利用することにより、割引などのサービスが受けられる。この割引などのサービスは、例えば、利用者が旅行先において端末を利用していた場合、その旅行先の地域の商店街の店舗、宿泊先のホテル内の店舗で商品の購入時における割引サービスである。この場合、利用者は、端末でクーポンや割引券を印刷する以外に、自身が所持する携帯型の端末（携帯電話など）にサービスデータを転送して画面上に表示させておき、サービスを受ける店舗において提示するようにしてもよい。
【００２９】
なお、このサービスデータの送信については、撮影データのアップロード時について説明したが、ダウンロード時に行うようにしてもよい。この場合、サービスデータを単に送信するだけでも良いが、例えば、ダウンロードした撮影データを印刷した場合に、その撮影データが印刷されていない空白部分にクーポンや割引券、広告が印刷されるように、撮影データにサービスデータを付加して送信してもよい。この場合、利用者は、空白部分に印刷されたクーポンや割引券を切り取って利用することが可能である。また、サービスデータが広告である場合には、アップロードまたはダウンロードした端末の場所に応じた広告が撮影データの一部に合成して印刷されるように、撮影データを加工しておくようにしてもよい。この広告データとして、例えば、観光地の名称や、宿泊先のホテル名、テーマパークなどのキャラクター、利用日時等を適用することが可能であり、これにより、ユーザは、撮影データを参照することにより、いつ、どこで撮影したものであるかを、将来的に思い出すことが可能である。
【００３０】
上述したサービスを実施する場合、写真データ預貯金サーバ３は、撮影データのアップロードまたはダウンロードを行った端末（街頭端末２２、拠点端末２３）の識別番号と、端末が設置されている場所を特定するデータおよび端末（PC２１）の利用者によって予め登録された住所に基づいて特定される場所を特定するデータを記憶する設置場所データベースが設けられるとともに、場所を特定するデータとその場所に応じたサービスデータとを対応付けて記憶するサービスデータ記憶データベースを設けておく。そして、アップロードの際にサービスデータを提供する場合には、端末から送信される端末の識別情報に基づいて設置場所データベースを参照して端末の場所を特定し、その場所に応じたサービスデータをサービスデータ記憶データベースから読み出し、発行部３３からＩＤとパスワードとともに送信し、ダウンロードの際にサービスデータを提供する場合には、撮影データ提供部３７から送信することが可能である。
【００３１】
このように、サービスデータを提供するようにしたので、観光先や旅行先、外出先のテーマパークに関するサービスデータを提供することが可能となり、利用者はその観光先、旅行先、外出先における割引等を受けられるとともに、その観光地、宿泊地、テーマパークなどにおいては、集客力を向上させることが可能となる。これにより、撮影データのアップロードおよびダウンロードサービスの提供により、その観光地、宿泊地、テーマパークなどと密着したサービスも提供することが可能となる。
【００３２】
なお、図２に示すＰＮＢ入力要求受信部３１と、課金処理部３２と、識別情報発行部３３と、撮影データ取込み部３４と、撮影データ提供部３７と、認証部３８と、ＰＮＢ出力要求受信部３９と、課金処理部４０のそれぞれで実行される手順をコンピュータ読み取り可能な記録媒体に記録し、この記録媒体に記録されたプログラムをコンピュータシステムに読み込ませ、実行することによって本発明を実現するものである。ここでいうコンピュータシステムとは、ＯＳや周辺機器等のハードウェアを含む。
【００３３】
また、「コンピュータシステム」は、ＷＷＷシステムを利用している場合であれば、ホームページ提供環境（あるいは表示環境）も含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３４】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００３５】
【図１】本発明が使用されるネットワーク接続環境を示す図である。
【図２】図１に示すＰＮＢサーバの内部構成を機能展開して示したブロック図である。
【図３】図１に示す街頭端末の内部構成をブロックで示す図である。
【図４】本発明実施形態の動作をフローチャートで示した図である。
【図５】本発明実施形態の動作をフローチャートで示した図である。
【符号の説明】
【００３６】
１…入力フロー、２…出力フロー、３…写真データ預貯金サーバ（ＰＮＢサーバ）、４…ＩＰ網、３１…ＰＮＢ入力要求受信部、３２、４０…課金処理部、３３…識別情報発行部、３４…撮影データ取込み部、３５ＰＮＢファイル、３６…ＩＤ／ＰＷファイル、３７…撮影データ提供部、３８…認証部、３９…ＰＮＢ出力要求受信部
【図１】
2005182599.tif 000003
【図２】
2005182599.tif 000004
【図３】
2005182599.tif 000005
【図４】
2005182599.tif 000006
【図５】
2005182599.tif 000007